【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
摂取可能なイベントマーカ識別子およびキャリアを含む摂取可能なイベントマーカを製造するために摂取可能なイベントマーカ識別子をキャリアに接着するように構成された自動組立装置
を備えたシステムであって、
前記摂取可能なイベントマーカ識別子は、
導電性信号を発するように構成された集積回路部品と、
前記集積回路部品の上方に配置された第１の材料からなる第１の電極と、
前記集積回路部品の下方に配置された前記第１の材料とは異なる第２の材料からなる第２の電極であって、前記第１の電極および前記第２の電極は、標的部位の流体と接触すると、前記集積回路部品を電流が流れることにより、前記集積回路部品内の１つ以上の機能ブロックに前記導電性信号を発せさせるように構成されている、第２の電極と
を含み、
前記自動組立装置は、
前記摂取可能なイベントマーカ内で前記キャリアに組み込まれる前記摂取可能なイベントマーカ識別子の操作を確認するように構成された操作検出器を含む品質管理装置であって、前記操作検出器は、前記集積回路部品が操作可能であることを確認するように構成された近接場無線周波数装置を含む、品質管理装置と、
前記摂取可能なイベントマーカ識別子を前記キャリアの内部に、前記キャリアの外部に、前記キャリアの表面上に、または前記キャリアと一体的にのうちのいずれか１つで接着することにより、前記摂取可能なイベントマーカを製造するための手段と
を含む、システム。
【請求項２】
前記自動組立装置は前記摂取可能なイベントマーカを、接着剤を用いて前記予め作られたキャリアに接着するように構成された、請求項１に記載のシステム。
【請求項３】
前記摂取可能なイベントマーカは前記予め作られたキャリアの接着を機械的に提供する要素を含む、請求項１に記載のシステム。
【請求項４】
前記自動組立装置は前記予め作られたキャリアの表面上に前記摂取可能なイベントマーカの１つ以上の部品を印刷するように構成された、請求項１に記載のシステム。
【請求項５】
前記自動組立装置はキャリア前駆体に接着された前記摂取可能なイベントマーカ識別子を製造するように構成された、請求項１に記載のシステム。
【請求項６】
前記自動組立装置は前記摂取可能なイベントマーカ識別子に被覆物を適用するように構成された、請求項１に記載のシステム。
【請求項７】
前記被覆物は不透明であり、前記キャリアに接着された前記摂取可能なイベントマーカを隠すように構成された、請求項６に記載のシステム。
【請求項８】
前記自動組立装置は前記システムの包装装置と一体化された、請求項１に記載のシステム。
【請求項９】
前記システムは、
摂取可能なイベントマーカを製造する摂取可能なイベントマーカ製造装置と、
前記摂取可能なイベントマーカを検査する品質管理検査装置と、
前記摂取可能なイベントマーカの前記摂取可能なイベントマーカ識別子をプログラムするプログラミング装置と、
前記摂取可能なイベントマーカに署名を関連付ける署名要素装置と、
前記摂取可能なイベントマーカに組み込まれる包装物を製造する包装装置と
からなる群から選択された要素を備える、請求項１に記載のシステム。
【請求項１０】
摂取可能なイベントマーカを製造するための方法であって、前記方法は、
摂取可能なイベントマーカ識別子をキャリアに接着するように構成された自動組立装置を用いて製品を組み立てること
を含み、
前記摂取可能なイベントマーカ識別子の各々は、集積回路部品を含み、前記集積回路部品は、第１の材料からなる第１の電極と、前記第１の材料とは異なる第２の材料からなる第２の電極とを含み、
前記第１の電極および前記第２の電極は、前記第１の材料および前記第２の材料が導電性流体に接触すると起動される集積回路のための電源を形成し、
前記自動組立装置は、前記摂取可能なイベントマーカ識別子を前記キャリアの内部に、前記キャリアの外部に、前記キャリアの表面上に、または前記キャリアと一体的にのうちのいずれかで接着することにより、前記摂取可能なイベントマーカを製造するための手段を含む、方法。
【請求項１１】
前記摂取可能なイベントマーカ識別子を自動組立装置を用いて接着することは、前記キャリアを前記摂取可能なイベントマーカ識別子とともに圧縮することを含む、請求項１０に記載の方法。
【請求項１２】
前記摂取可能なイベントマーカ識別子の少なくとも一部上に被覆物を適用することをさらに含む、請求項１０に記載の方法。
【請求項１３】
前記キャリアの少なくとも一部に前記摂取可能なイベントマーカ識別子の１つ以上の部品を堆積させて印刷することをさらに含む、請求項１０に記載の方法。
【請求項１４】
前記摂取可能なイベントマーカを包装することをさらに含む、請求項１０に記載の方法。
【請求項１５】
前記摂取可能なイベントマーカの前記包装は、複数の摂取可能なイベントマーカを大量包装することをさらに含む、請求項１４に記載の方法。
【請求項１６】
前記大量包装された摂取可能なイベントマーカを再包装することをさらに含む、請求項１５に記載の方法。
【請求項１７】
前記摂取可能なイベントマーカを製造するために摂取可能なイベントマーカ識別子をキャリアに接着するように構成された前記自動組立装置を用いて前記摂取可能なイベントマーカを前記組み立てることは、前記摂取可能なイベントマーカ識別子を前記キャリアに機械的に付着させることを含む、請求項１０に記載の方法。
【請求項１８】
前記摂取可能なイベントマーカの少なくとも一部に追加被覆することをさらに含む、請求項１７に記載の方法。
【請求項１９】
前記摂取可能なイベントマーカを製造するために摂取可能なイベントマーカをキャリアに接着するように構成された前記自動組立装置を用いて前記摂取可能なイベントマーカを前記組み立てることは、摂取可能なイベントマーカ識別子をキャリア内に挿入することを含む、請求項１０に記載の方法。
【請求項２０】
医薬品および摂取可能なイベントマーカ識別子装置を含む、摂取可能なイベントマーカを製造するためのプロセスであって、前記摂取可能なイベントマーカ識別子装置は、前記医薬品に固定されており、前記プロセスは、錠剤の形態で前記医薬品を自動組立装置に提供するステップを含み、前記自動組立装置は、
接着剤供給装置を用いて接着剤面を持つ錠剤を製造するように、前記錠剤の一表面上に規定量の接着剤を配置することと、
デバイス供給装置を用いて前記摂取可能なイベントマーカを製造するように、前記摂取可能なイベントマーカ識別子装置を前記接着剤面を持つ錠剤に固定することと
を含むステップを通して前記摂取可能なイベントマーカを製造し、
前記摂取可能なイベントマーカ識別子装置は、集積回路部品を含み、前記集積回路部品は、第１の材料からなる第１の電極と、前記第１の材料とは異なる第２の材料からなる第２の電極とを含み、
前記第１の電極および前記第２の電極は、前記第１の材料および前記第２の材料が導電性流体に接触すると起動される集積回路のための電源を形成する、プロセス。
【請求項２１】
前記自動組立装置は保護用被覆供給装置を用いて、前記摂取可能なイベントマーカに保護用被覆物を配置することを含むステップをさらに実行する、請求項２０に記載のプロセス。
【請求項２２】
粉末供給装置、圧縮装置、およびデバイス供給装置を含む自動組立装置を用いて医薬品および摂取可能なイベントマーカ識別子装置から摂取可能なイベントマーカを製造するためのプロセスであって、前記摂取可能なイベントマーカは、前記医薬品に接着された前記摂取可能なイベントマーカ識別子装置を含み、前記プロセスが、
前記粉末供給装置を用いて前記自動組立装置の錠剤ダイに、第１の部分の粉末形状の前記医薬品を供給するステップと、
前記デバイス供給装置を用いて前記自動組立装置の前記錠剤ダイ内に前記摂取可能なイベントマーカ識別子装置を配置するステップであって、前記摂取可能なイベントマーカ識別子装置は、集積回路部品を含み、前記集積回路部品は、第１の材料からなる第１の電極と、前記第１の材料とは異なる第２の材料からなる第２の電極とを含み、前記第１の電極および前記第２の電極は、前記第１の材料および前記第２の材料が導電性流体に接触すると起動される集積回路のための電源を形成する、ステップと、
前記自動組立装置の前記錠剤ダイに、第２の部分の粉末形状の前記医薬品を供給するステップと、
前記摂取可能なイベントマーカ装置を形成するために前記圧縮装置を用いて前記錠剤ダイの内容物を圧縮するステップと
を含む、プロセス。
【請求項２３】
医薬品および摂取可能なイベントマーカ識別子装置から摂取可能なイベントマーカを製造するプロセスであって、前記プロセスは、第１のカプセル部供給装置、カプセル組立装置、薬剤供給装置、およびデバイス供給装置を含む組立機器を用いてカプセル内で前記摂取可能なイベントマーカ識別子装置を接着することを含み、前記プロセスが、
前記組立機器の前記第１のカプセル部供給装置を用いて、カプセルの第１の部分を供給するステップと、
前記組立機器の前記薬剤供給装置を用いて、前記医薬品を前記カプセルの前記第１の部分に充填するステップと、
前記組立機器の前記デバイス供給装置を用いて、前記カプセルの前記第１の部分に摂取可能なイベントマーカ識別子装置を配置するステップであって、前記摂取可能なイベントマーカ識別子装置は、集積回路部品を含み、前記集積回路部品は、第１の材料からなる第１の電極と、前記第１の材料とは異なる第２の材料からなる第２の電極とを含む、ステップと、
前記組立機器の前記カプセル組立装置を用いて、前記カプセルの第２の部分と共に前記カプセルの前記第１の部分の内容物を密閉するステップと
を含む、プロセス。